(57)【要約】【課題】室の天井又は壁に容易且つ安価に設置し得る音響システムを提供する。【解決手段】１チャンネルの音声を主スピーカ部１０から出力する天井又は壁埋め込み型の主スピーカユニット３と、主スピーカユニット３と同一の又は主スピーカユニット３とは異なる１チャンネルの音声を従属スピーカ部１９から出力する天井又は壁埋め込み型の従属スピーカユニット５を備え、主スピーカユニット３に商用電源線２を接続した状態で室内側機器４と主スピーカユニット３との無線通信により室内側機器４で再生された音声信号を主スピーカユニット３で受信して両ユニット３、５から音声を出力する構成にする。【選択図】図２
2013229842.tif 000002
【特許請求の範囲】
【請求項１】
１チャンネルの音声を主スピーカ部から出力する天井又は壁埋め込み型の主スピーカユニットと、該主スピーカユニットと同一の又は主スピーカユニットとは異なる１チャンネルの音声を従属スピーカ部から出力する天井又は壁埋め込み型の従属スピーカユニットとを備え、
前記主スピーカユニットに、商用電源線を接続する電源接続部と、前記電源接続部からの交流電気を直流電気に変換して駆動源にする電源部と、室内側機器で再生された音声信号を室内側機器との無線通信により受信する無線通信部と、前記無線通信部で受信した音声信号を増幅して主スピーカ部に出力する出力制御部とを一体的に備えさせるとともに、前記出力制御部から前記従属スピーカ部にも音声信号を出力するように前記主スピーカユニットと前記従属スピーカユニットとをケーブルで接続し、
前記主スピーカユニットの前記電源接続部に商用電源線を接続した状態で、前記室内側機器と主スピーカユニットとの無線通信により室内側機器で再生された音声信号を主スピーカユニットで受信して前記主スピーカ部と前記従属スピーカ部とから音声を出力する構成にしてある音響システム。
【請求項２】
前記主スピーカユニットの前記出力制御部から主スピーカ部への音声信号の出力を可能にするのに、
前記主スピーカユニットの前記出力制御部の出力端子を主スピーカユニットの外面に設けるととともに、この出力端子と前記主スピーカ部とをケーブルで接続する構成にしてある請求項１記載の音響システム。
【請求項３】
前記無線通信部で受信した複数チャンネルの音声信号のうち、１チャンネルの音声信号を前記主スピーカ部に出力し、且つ、複数チャンネルの音声信号のうちの主スピーカ部に出力したチャンネルとは異なる１チャンネルの音声信号を前記従属スピーカ部に出力するステレオ式の出力形態と、
前記無線通信部で受信した複数チャンネルの音声信号を１チャンネルの音声信号に変換し、その１チャンネルの音声信号を前記主スピーカ部と前記従属スピーカ部とに出力するダイオティック式の出力形態とを切り換える出力形態切換手段を設けてある請求項１又は２記載の音響システム。
【請求項４】
前記出力形態切換手段を構成するのに、前記出力制御部を、前記室内側機器又は別途の遠隔操作端末からの切り換え信号に基づいて前記出力形態を切り換える構成にしてある請求項３記載の音響システム。
【請求項５】
前記室内側機器を、音声再生機能と通話機能とを備えた携帯電話機から構成するとともに、
前記主スピーカユニットの前記出力制御部を、前記室内側機器から受信した音声信号のうちの通話に関する音声信号を検出して、その検出した通話に関する音声信号は出力しない通話音声非出力制御を実行する構成にしてある請求項１〜４のいずれか１項に記載の音響システム。
【請求項６】
前記主スピーカユニットを天井及び壁に埋め込んだ設置状態で室内側となる主スピーカユニットの表側に、少なくとも前記出力制御部による制御状態を光の色又は光の量で示す発光式の状態表示部を設けてある請求項１〜５のいずれか１項に記載の音響システム。
【請求項７】
前記主スピーカユニットを操作する制御部を前記主スピーカユニットに装備し、
前記制御部は、前記室内側機器と前記無線通信部との無線通信により室内側機器からその室内側機器の機器情報を受信することで、無線接続用の登録処理として、その機器情報を前記主スピーカユニットにおける記憶部に格納するとともに、
その後、タイマによる計時において設定時点に至ると、又は、タイマによる計時において前記登録処理から設定時間が経過すると、前記記憶部に格納してある音源機器の機器情報を消去する構成にしてある請求項１〜６のいずれか１項に記載の音響システム。
【請求項８】
前記主スピーカユニットに通報入力端子を装備し、
前記出力制御部は、この通報入力端子に通報信号が入力されたとき、前記主スピーカ部と前記従属スピーカ部とからの音声出力を停止する構成にしてある請求項１〜７のいずれか１項に記載の音響システム。
【請求項９】
前記主スピーカユニットに対する遠隔操作端末を備えるとともに、
前記遠隔操作端末から付与される操作指令に応じて前記主スピーカユニットを操作する遠隔操作用制御部を主スピーカユニットに装備し、
前記遠隔操作端末は、前記無線通信部との操作用無線通信により操作指令としてユニット操作指令及び室内側機器操作指令を前記遠隔操作用制御部に付与する構成にし、
前記遠隔操作用制御部は、前記ユニット操作指令に応じ前記主スピーカユニットを操作するとともに、前記室内側機器操作指令に応じ前記無線通信部と前記室内側機器との音源用無線通信により前記室内側機器を操作する構成にしてある請求項１〜８のいずれか１項に記載の音響システム。
【発明の詳細な説明】
【技術分野】
【０００１】
本発明は、住宅のリビングや台所等の室の天井や壁から音楽を出力させるための音響システムに関し、より詳しくは、１チャンネルの音声をスピーカ部から出力する天井又は壁埋め込み型の複数のスピーカユニットを備える音響システムに関する。
【背景技術】
【０００２】
従来、この種の音響システムとしては、携帯電話機や携帯音楽プレーヤーなどの音楽再生機能を備えたポータブル機器（室内側機器の一例）とケーブルで接続可能な入力ボックスを壁面に埋め込み固定し、天井裏で商用電源線を接続したアンプを、壁内空間を通して該入力ボックスとケーブル接続した状態で天井裏に配設するとともに、天井面に一対の前記スピーカユニットを埋め込み固定し、天井裏において各スピーカユニットとアンプとをケーブルで接続したものがある（この従来システムを示す適当な文献がない）。
【０００３】
つまり、この音響システムは、ポータブル機器を前記入力ボックスにケーブルで接続した状態において、ポータブル機器で再生された楽曲音信号（音声信号の一例）を前記アンプで増幅し、増幅された楽曲音信号を天井に埋め込み固定された前記一対のスピーカユニットのスピーカ部から楽曲音として出力させて、室内側で快適に音声を聴くことができる。
【発明の概要】
【発明が解決しようとする課題】
【０００４】
ところが、上記従来のシステムでは、入力ボックスの壁面への取付け作業、アンプの天井裏への取付け作業、両スピーカユニットの天井への取付け作業、入力ボックスからアンプへのケーブルの接続作業、アンプからスピーカへのケーブルの接続作業と数多くの作業が必要であり、しかも、アンプの天井裏への取付け作業や入力ボックスからアンプへのケーブルの接続作業は、壁と天井の比較的広い領域を剥がす大掛かりなものとなるため、システムの導入作業に手間がかかり、システムの導入コストが高くつく問題があった。
【０００５】
本発明は上述の実情に鑑みてなされたものであって、その主たる課題は、天井又は壁にスピーカユニットを埋め込み固定する形態を採りながらも、容易且つ安価に導入し得る音響システムを提供する点にある。
【課題を解決するための手段】
【０００６】
本発明の第１特徴構成は、１チャンネルの音声を主スピーカ部から出力する天井又は壁埋め込み型の主スピーカユニットと、該主スピーカユニットと同一の又は主スピーカユニットとは異なる１チャンネルの音声を従属スピーカ部から出力する天井又は壁埋め込み型の従属スピーカユニットとを備え、
前記主スピーカユニットに、商用電源線を接続する電源接続部と、前記電源接続部からの交流電気を直流電気に変換して駆動源にする電源部と、室内側機器で再生された音声信号を室内側機器との無線通信により受信する無線通信部と、前記無線通信部で受信した音声信号を増幅して主スピーカ部に出力する出力制御部とを一体的に備えさせるとともに、前記出力制御部から前記従属スピーカ部にも音声信号を出力するように前記主スピーカユニットと前記従属スピーカユニットとをケーブルで接続し、
前記主スピーカユニットの前記電源接続部に商用電源線を接続した状態で、前記室内側機器と主スピーカユニットとの無線通信により室内側機器で再生された音声信号を主スピーカユニットで受信して前記主スピーカ部と前記従属スピーカ部とから音声を出力する構成にしてある点にある。
【０００７】
つまり、この構成によれば、室内側機器で再生された音声信号を無線通信により主スピーカユニットで受信し、増幅処理を施した上で、天井又は壁に埋め込み固定した両スピーカユニットの各スピーカ部から音声を出力するから、先述の従来システムと同様に、室内側で快適に音声を聴くことができる。
【０００８】
それでいて、システム導入のための作業は、両スピーカユニットの取付け作業と、主スピーカユニットへの商用電源線の接続作業と、両スピーカユニットの接続作業とだけで済むから、先述の従来システムに比べ、システム導入のための作業を大幅に削減することができ、しかも、壁と天井の比較的広い領域を剥がす大掛かりな作業も不存又は削減することができる。
【０００９】
従って、天井又は壁にスピーカユニットを埋め込み固定する形態を採りながらも、導入作業の容易化と導入コストの低廉化を図ることができる。
【００１０】
本発明の第２特徴構成は、前記主スピーカユニットの前記出力制御部から主スピーカ部への音声信号の出力を可能にするのに、
前記主スピーカユニットの前記出力制御部の出力端子を主スピーカユニットの外面に設けるととともに、この出力端子と前記主スピーカ部とをケーブルで接続する構成にしてある点にある。
【００１１】
つまり、この構成によれば、前記ケーブルの少なくとも一部が主スピーカユニットの周囲空間に露出する状態で主スピーカユニットの出力制御部と主スピーカ部とが接続されているから、例えば、主スピーカユニットの出力制御部と主スピーカ部との間に音声出力減衰機などの付加的な調整機器を容易に取り付けることができ、これにより、主スピーカユニットの出力制御部の複雑化を回避しながらも、従属スピーカ部とは独立して主スピーカ部の出力を調整することが可能になる。
【００１２】
本発明の第３特徴構成は、前記無線通信部で受信した複数チャンネルの音声信号のうち、１チャンネルの音声信号を前記主スピーカ部に出力し、且つ、複数チャンネルの音声信号のうちの主スピーカ部に出力したチャンネルとは異なる１チャンネルの音声信号を前記従属スピーカ部に出力するステレオ式の出力形態と、
前記無線通信部で受信した複数チャンネルの音声信号を１チャンネルの音声信号に変換し、その１チャンネルの音声信号を前記主スピーカ部と前記従属スピーカ部とに出力するダイオティック式の出力形態とを切り換える出力形態切換手段を設けてある点にある。
【００１３】
つまり、例えば、主スピーカユニットと従属スピーカユニットをリビングや台所等の特定の室の天井面の対角位置に配する場合では、室中央で音声を聴き得るならば、室中央にリスニングポイントが形成されるステレオ式の出力形態で各スピーカ部に出力させるのが最良の音を聴く上で好ましいが、室中央で音声を聴き得ないならば、リスニングポイントが形成されないダイオティック式の出力形態で各スピーカ部に出力させるのが室全般で平均的に良い音を聴く上で好ましい。
【００１４】
また、例えば、主スピーカユニットと従属スピーカユニットを廊下等の通路の天井面に配する場合では、リスニングポイントが形成されるステレオ式の出力形態よりも、リスニングポイントが形成されないダイオティック式の出力形態で各スピーカ部に出力させるのが通路移動過程で音質の変化が少なくて好ましい。
【００１５】
それ故に、ステレオ式の出力形態とダイオティック式の出力形態とを切り換える出力形態切換手段を設けてある上記構成によれば、主スピーカユニットと従属スピーカユニットの配設位置や使用者の使用方法などの使用状況に応じて最適な出力形態に切り換えることで、主スピーカユニットと従属スピーカユニットの配設位置や使用者の使用方法などの状況に応じた最適な音質で音声を聴くことが可能になる。
【００１６】
本発明の第４特徴構成は、前記出力形態切換手段を構成するのに、前記出力制御部を、前記室内側機器又は別途の遠隔操作端末からの切り換え信号に基づいて前記出力形態を切り換える構成にしてある点にある。
【００１７】
上記構成によれば、室内側にある前記室内側機器又は別途の遠隔操作端末での切り換え操作により主スピーカ部と従属スピーカ部による前述の出力形態を切り換えることができるから、主スピーカユニットと従属スピーカユニットを手動で操作して各スピーカ部の出力形態を切り換える場合に比べ、出力形態を容易に切り換えることが可能になり、例えば、１人で聴く場合はステレオ式の出力形態とし、来客があった場合はダイオティック式の出力形態とするなど、細かな対応を採り易くすることができる。
【００１８】
本発明の第５特徴構成は、前記室内側機器を、音声再生機能と通話機能とを備えた携帯電話機から構成するとともに、
前記主スピーカユニットの前記出力制御部を、前記室内側機器から受信した音声信号のうちの通話に関する音声信号を検出して、その検出した通話に関する音声信号は出力しない通話音声非出力制御を実行する構成にしてある点にある。
【００１９】
上記構成によれば、前記室内側機器を構成する携帯電話機で再生された音声信号に基づいて主スピーカ部と従属スピーカ部から音声を出力している場合において、携帯電話機が通話状態になって通話に関する音声信号を受信したとしても、前記出力制御部の前記通話音声非出力制御の実行により通話に関する音声が主スピーカ部と従属スピーカ部から出力されるのを防止することができ、これにより、個人的な通話音声が不測に室内全体に出力される不都合を効果的に回避することができる。
【００２０】
本発明の第６特徴構成は、前記主スピーカユニットを天井及び壁に埋め込んだ設置状態で室内側となる主スピーカユニットの表側に、少なくとも前記出力制御部による制御状態を光の色又は光の量で示す発光式の状態表示部を設けてある点にある。
【００２１】
つまり、主スピーカユニットの表側には、音声を極力低減させない状態で表側を保護するスピーカネットが適宜に配設されるが、上記構成によれば、スピーカネットを透過して視認し得る発光式の状態表示部を主スピーカユニットの表側に設けてあるから、スピーカネットを配設した状態でも出力制御部による制御状態（例えば、起動状態や出力形態や音量など）を使用者に認識させることが可能になる。
【００２２】
本発明の第７特徴構成は、前記主スピーカユニットを操作する制御部を前記主スピーカユニットに装備し、
前記制御部は、前記室内側機器と前記無線通信部との無線通信により室内側機器からその室内側機器の機器情報を受信することで、無線接続用の登録処理として、その機器情報を前記主スピーカユニットにおける記憶部に格納するとともに、
その後、タイマによる計時において設定時点に至ると、又は、タイマによる計時において前記登録処理から設定時間が経過すると、前記記憶部に格納してある音源機器の機器情報を消去する構成にしてある点にある。
【００２３】
この構成によれば、室内側機器からその室内側機器の機器情報を送信（手動送信や自動返信）することで、その室内側機器の機器情報を登録処理として記憶部に格納することができて、通信接続対象の室内側機器をスピーカユニットに対して容易に登録することできる。
【００２４】
しかも、例えば、ホテルの客室に両スピーカユニットを設置して、宿泊客が個人所有の室内側機器で再生した楽曲を客室の両スピーカユニットで出力できるようにした場合など、その客室の主スピーカユニットに対しては日々異なる室内側機器が登録されて各音源機器との間で音源用無線通信が接続されるが、このような場合でも、上記構成によれば、過去に登録された室内側機器の機器情報が主スピーカユニットの記憶部にいつまでも残ることを自動的に防止することができて、その機器情報の残留による個人情報の漏洩や、その機器情報の残留に原因する過去の登録音源機器との不測の通信接続などを確実に防止することができ、この点で安全性及び信頼性にも優れた音響システムにすることができる。
【００２５】
本発明の第８特徴構成は、前記スピーカユニットに通報入力端子を装備し、
前記出力制御部は、この通報入力端子に通報信号が入力されたとき、前記主スピーカ部と前記従属スピーカ部とからの音声出力を停止する構成にしてある点にある。
【００２６】
この構成によれば、火災報知器やその他の警報器などの通報器の作動時にその通報器が出力する通報信号が上記通報入力端子に入力されるようにしておくことで、それら通報器の作動時には、前記主スピーカ部と前記従属スピーカ部からの音声出力が自動停止されて、それまで再生音声を聴取していた使用者が通報器の通報作動を一層認知し易いようにすることができ、この点で一層有用性の高い音響システムにすることができる。
【００２７】
なお、この構成の実施において、通報端子に入力する通報信号は、火災報知器やその他の警報器が作動時に出力する通報信号に限らず、一斉放送用の通報器から出力される通報信号などであってもよい。
【００２８】
また、この構成の実施においては、前記主スピーカ部と前記従属スピーカ部からの音声出力を停止するとともに、その音声出力に代え通報器からの通報音声信号をスピーカユニットにおいて再生出力するようにしてもよい。
【００２９】
本発明の第９特徴構成は、前記主スピーカユニットに対する遠隔操作端末を備えるとともに、
前記遠隔操作端末から付与される操作指令に応じて前記主スピーカユニットを操作する遠隔操作用制御部を主スピーカユニットに装備し、
前記遠隔操作端末は、前記無線通信部との操作用無線通信により操作指令としてユニット操作指令及び室内側機器操作指令を前記遠隔操作用制御部に付与する構成にし、
前記遠隔操作用制御部は、前記ユニット操作指令に応じ前記主スピーカユニットを操作するとともに、前記室内側機器操作指令に応じ前記無線通信部と前記室内側機器との音源用無線通信により前記室内側機器を操作する構成にしてある点にある。
【００３０】
この構成によれば、音源用無線通信により室内側機器から直接に送られる音声信号を主スピーカユニットで受信して、前記主スピーカ部と前記従属スピーカ部とから対象室内に音声を出力するから、無線通信の採用により室内側機器及びスピーカユニット夫々の設置自由度を高くしながらも、例えば、室内側機器の音声出力端子から通信ケーブルを通じて入力する音声信号を無線音声信号に変換して送信する送信器などの介在機器類の設置が不要になる。
【００３１】
また、ユニット操作指令を操作用無線通信によりリモートコントローラから主スピーカユニットの遠隔操作用制御部に付与することで、その主スピーカユニットに対する操作を容易に行えるのに加えて、同様に室内側機器操作指令を操作用無線通信によりリモートコントローラから主スピーカユニットの制御部に付与することで、主スピーカユニットにおける無線通信部と室内側機器との間での音源用無線通信をさらに有効利用して室内側機器に対する操作も容易に行うことができる。
【００３２】
これらの点で、使い勝手の面で一層優れた音響システムにすることができる。
【００３３】
なお、この構成の実施において、ユニット操作指令による主スピーカユニットの操作、及び、室内側機器操作指令による音源機器としての室内側機器の操作は夫々、どのような操作であってもよい。
【００３４】
また、この構成の実施において、音源用無線通信及び操作用無線通信には夫々、種々の規格の無線通信を採用することができるが、音源用無線通信には、主スピーカユニットを中心とする半径十数ｍ程度の範囲内において壁などのある程度の障害物にかかわらず安定的に通信を確立し得る電波式の近距離無線通信を採用するのが望ましい。
【図面の簡単な説明】
【００３５】
【図１】音響システムの導入例を示す説明図
【図２】音響システムの第１実施形態を示すブロック図
【図３】主スピーカユニットの斜視図
【図４】主スピーカユニットの取付け状態を示す側面図
【図５】主スピーカユニットの一部破断正面図
【図６】固定手段の動作説明図
【図７】固定手段の動作説明図
【図８】固定手段の動作説明図
【図９】従属スピーカユニットの斜視図
【図１０】音響システムの第２実施形態を示すブロック図
【発明を実施するための形態】
【００３６】
［第１実施形態］
図１は、本発明に係る音響システム１を導入した住宅のリビングを示し、この音響システム１は、天井裏で商用電源線２（図３参照）が接続された天井埋め込み型の主スピーカユニット３と、天井裏で主スピーカユニット３とスピーカケーブル１６で接続された従属スピーカユニット５とからなる。
【００３７】
そして、この音響システム１は、音楽再生機能と通話機能を備えた携帯電話機４（ポータブル機器の一例、室内側機器の一例、音源機器の一例）と主スピーカユニット３との無線通信（本例ではＢｌｕｅｔｏｏｔｈ（登録商標）などの近距離無線通信）により、携帯電話機４で再生された楽曲音信号（音声信号の一例）に基づいて、両スピーカユニット３、５から楽曲音（音声の一例）を出力する構成にしてある。
【００３８】
前記携帯電話機４は、図２に示すように、楽曲音データや電話番号データなどの各種のデータを記憶する記憶部４１と、該記憶部４１に記憶された楽曲音データを再生してイヤフォンなどに出力する音楽再生部４２、楽曲音信号（音声信号の一例）や通話信号（音声信号の一例）などの各種の信号やデータを無線通信により送受信する無線通信部４３、各部を駆動させる駆動源となる充電式の電源部４４などを備えてなる。
【００３９】
６は、当該音響システム１を遠隔操作する無線式の遠隔操作端末（所謂、リモコン）であり、使用者の操作によって主スピーカユニット３に対して楽曲音の再生、停止、楽曲音の種別の切り換え、音量の変更等の携帯電話機４の側の各種の信号を、操作用無線通信を用いて送信することで、主スピーカユニット３を介して主スピーカユニット３と携帯電話機との音源用無線通信を用いて携帯電話機４を遠隔操作し、更に、電源のＯＮ・ＯＦＦ、カップリング機器（無線通信接続を確立する室内側機器）の選択、後述する出力形態の切り換え等の主スピーカユニット３の側の各種の信号を、操作用無線通信を用いて送信することで、主スピーカユニット３を遠隔操作する。
【００４０】
前記主スピーカユニット３は、図２に示すように、商用電源線２を接続する電源接続部７と、該電源接続部７からの交流電気を直流電気に変換して駆動源にする電源部８と、携帯電話機４との無線通信を行う無線通信部９と、該無線通信部９で受信した楽曲音信号を増幅して主スピーカ部１０に出力する出力制御部（制御部の一例、遠隔操作用制御部の一例）１１と、主スピーカ部１０と、スピーカケーブル１６を接続するスピーカ接続部１２、後述する状態表示部１７などを一体的に備えてなる。
【００４１】
図３〜図５に示すように、前記主スピーカユニット３の外郭は、設置状態で室内側となる外周面１３ａの表側（図中下側）に取付け用鍔部１３ｂを備えた外郭ケース１３Ａの表面１３ｄに、楽曲音の音量の低減を抑止しながら主スピーカ部１０を保護するスピーカネット１３Ｂを設けて構成してある。
【００４２】
前記電源接続部７は、前記外郭ケース１３Ａの外面における裏面１３ｐの側に配設された電源接続端子（外部接続端子の一例）から構成してある。なお、７ａは、該電源接続部７を覆う脱着操作自在な蓋体である。
【００４３】
前記電源部８は、前記電源接続部７からの交流電気を直流電気に変換して各部の駆動源にするよう前記外郭ケース１３Ａに内蔵されたＡＣ−ＤＣコンバータから構成してあり、この電源部８からの供給電力により主スピーカユニット３の無線通信部９や出力制御部１１などの各部を駆動させるようにしてある。
【００４４】
前記無線通信部９と前記出力制御部１１は、主スピーカユニット３の外郭ケース１３Ａに内蔵されたメインボード（主回路基板）４５から構成してあり、無線通信部９で受信した楽曲音信号に増幅処理や変換処理などの各種の処理を施して前記主スピーカ部１０に出力するようにしてある。
【００４５】
また、前記主スピーカ部１０は、前記外郭ケース１３Ａの表面１３ｄに音声出力口１４ａが位置する状態で前記外郭ケース１３Ａに内蔵されたコーン型の主振動板部１４と、同じく外郭ケース１３Ａの表面１３ｄに音声出力口１５ａが位置する状態で前記外郭ケース１３Ａに内蔵された小型のコーン型の副振動板部１５（所謂、サブウーファー）とから構成してある。
【００４６】
前記スピーカ接続部１２は、外郭ケース１３Ａの外面における裏面１３ｐの側に配設され、且つ、スピーカケーブル１６を接続可能な一対の接続口からなる４つのスピーカ出力端子１２ａ〜１２ｄ（外部出力端子）と、スピーカケーブル１６を接続可能な一対の接続口からなるスピーカ入力端子１２ｅ（外部入力端子）とを横一列に並ぶ状態で備えたスピーカ接続台から構成してある。
【００４７】
そして、このスピーカ接続部１２のスピーカ出力端子１２ａに対して、従属スピーカユニット５に一端が接続されたスピーカケーブル１６の他端を接続してあり、このスピーカケーブル１６を介して前記出力制御部１１から従属スピーカユニット５に楽曲音信号を出力する。
【００４８】
なお、スピーカ接続部１２のスピーカ出力端子１２ｂ、１２ｃは、従属スピーカユニット５を適宜に増設する場合において、増設する従属スピーカユニット５との接続に使用される。
【００４９】
前記スピーカ接続部１２のスピーカ出力端子１２ｄとスピーカ入力端子１２ｅとにスピーカケーブル１６の一端と他端の各々を接続してあり、このスピーカケーブル１６を介して前記出力制御部１１から主スピーカ部１０に楽曲音信号を出力する。
【００５０】
つまり、この音響システム１は、スピーカ接続部１２を介して主スピーカユニット３の外面側で主スピーカ部１０と従属スピーカ部１９を主スピーカユニット３の出力制御部１１に接続してあり、これにより、主スピーカユニット３の出力制御部１１と主スピーカ部１０との間、又は、主スピーカユニット３の出力制御部１１と従属スピーカ部１９との間に音声出力減衰機などの付加的な調整機器を取り付ける等により、主スピーカユニット３と従属スピーカユニット５との別個独立の出力調整を容易に行い得るようにしてある。
【００５１】
前記出力制御部１１には、遠隔操作端末６からの操作信号により、主スピーカユニット３と従属スピーカユニット５による楽曲音の出力形態をステレオ式とダイオティック式との間で切り換える出力形態切換部１１ａを設けてある。
【００５２】
つまり、前記出力制御部１１は、遠隔操作端末６からの操作信号によりステレオ式の出力形態に切り換え操作されると、無線通信部９で受信した複数チャンネル（例えば、ＬチャンネルとＲチャンネルの２チャンネル）の楽曲音信号のうちの１チャンネル（例えばＲチャンネル）の楽曲音信号を主スピーカ部１０に出力し、且つ、複数チャンネルの楽曲音信号のうちの主スピーカ部１０に出力したチャンネルとは異なる１チャンネル（例えばＬチャンネル）の楽曲音信号を従属スピーカ部１９に出力する。
【００５３】
また、前記出力制御部１１は、遠隔操作端末６からの操作信号によりダイオティック式の出力形態に切り替え操作されると、無線通信部９で受信した複数チャンネルの楽曲音信号を１チャンネルの楽曲音信号に変換（換言すれば合成）し、その１チャンネルの楽曲音信号を両スピーカユニット３、５の各スピーカ部１０、１９に出力する。
【００５４】
なお、前記出力制御部１１は、遠隔操作端末６からの操作信号によりダイオティック式
の出力形態に切り替え操作されると、無線通信部９で受信した複数チャンネルの楽曲音信号を１チャンネルの楽曲音信号に変換（換言すれば合成）し、その１チャンネルの楽曲音信号を両スピーカ３、５の各スピーカ部１０、１９に出力する。
【００５５】
つまり、この音響システム１は、例えば、リビングの天井面の対角位置に主スピーカユニット３と従属スピーカユニット５を配した状態において、ステレオ式の出力形態で出力させてリビング中央のリスニングポイントで音楽が聴けるようにしたり、ダイオティック式の出力形態で出力させてリビングの各部位で同様の音楽を聴けるようにしたり、室の使用状況（例えば、１人で聴く場合やホームパーティーなど他人数で聴く場合）や使用者の好みに応じて出力形態を切り換えることができる。
【００５６】
また、この音響システム１は、リビングや台所の天井面に主スピーカユニット３と従属スピーカユニット５とを設置する場合はステレオ式の出力形態で出力させ、主スピーカユニット３と従属スピーカユニット５を廊下の天井面に設置する場合はダイオティック式の出力形態で出力させる等、設置場所に応じて出力形態を切り換えることができる。
【００５７】
さらに、前記出力形態切換部１１ａは、主スピーカユニット３と、３つ（複数の一例）の従属スピーカユニット５とから音響システム１を構成した場合において、例えば、主スピーカユニット３と１つの従属スピーカユニット５をステレオ式の出力形態とし、残りの２つの従属スピーカユニット５をダイオティック式の出力形態とするグループ毎の切り換えも可能に構成してあり、これにより、この音響システム１は、例えば、主スピーカユニット３と従属スピーカユニット５をリビングの天井面に設置し、更に増設した複数の従属スピーカユニット５を廊下の天井面に設置したシステム構成において、リビング側のスピーカユニット３、５をステレオ式の出力形態で出力させ、且つ、廊下側のスピーカユニット５をダイオティック式の出力形態で出力させることができる。
【００５８】
前記出力制御部１１は、無線通信部９で受信した音声信号中の通話信号（通話に関する音声信号）を検出する通話信号検出部１１ｂを備えており、この通話信号検出部１１ｂで検出した通話信号は出力を行わない通話音声非出力制御を実行する。
【００５９】
そのため、携帯電話機４が通話状態になった場合には、前記出力制御部１１が出力制御通話音声非出力制御を実行することで、携帯電話機４での通話音声が当該音響システム１により室全体に出力されるのを防止する。
【００６０】
図５に示すように、主スピーカユニット３の設置状態で室内側となる外郭ケース１３Ａの表側には、前記出力制御部１１からの指令により出力制御部１１による出力制御状態などの主スピーカユニット３の状態を示す発光式の状態表示部１７を設けてある。この状態表示部は、外郭ケース１３Ａの表面１３ｄ（正確には、スピーカネット１３Ｂの裏側）に配設した透光性を有する拡散板（図示しない）とその裏側に配設したＬＥＤランプ（図示しない）から構成してある。
【００６１】
本例では、当該状態表示部１７は、電源をＯＮ（赤色点灯）→ステレオ式の出力形態で出力（青色点灯）→ダイオティック式の出力形態で出力（緑色点灯）→楽曲音の出力を停止（赤色点灯）→所定時間の経過により自動的に電源がＯＦＦ（赤色消灯）のように、光有無と光の色で主スピーカユニット３の状態を表示するようにしてある。
【００６２】
図３〜図５に示すように、前記外郭ケース１３Ａの外周面１３ａの周方向の複数箇所（本例では３箇所）には、表面側から回転操作可能な状態に上向きに設けられた操作ネジ３２と、該操作ネジ３２に基端側が螺合された固定片３１とからなる固定手段Ａを設けてある。
【００６３】
前記固定片３１は、図６、図７に示すように、操作ネジ３２の上端側に位置させた状態からの操作ネジ３２の回転操作に伴い回動して、外郭ケース１３Ａの外周面１３ａに形成した凹部１３ｇに全体が収納された収納姿勢（図６の姿勢）と、該凹部１３ｇから先端側が径方向外方に突出する姿勢で凹部１３ｇの左右方向一端側の内壁面１３ｈに回動を接当規制された突出姿勢（図３、図７の姿勢）とに姿勢変更自在に構成されている。
【００６４】
そして、前記固定片３１は、図７、図８に示すように、前記突出姿勢からの操作ネジ３２の回転操作による固定片３１へのネジ込み量の変動により、外郭ケース１３Ａの凹部１３ｇの下部の左右方向一端側に連接され縦溝部１３ｊ（移動案内路の一例）の左右の両内壁面１３ｋ、１３ｋに回動を接当規制された状態で、縦溝部１３ｊを通して外郭ケース１３Ａの縦方向（つまり、取付け用鍔部１３ｂに対する遠近方向）に移動自在に構成されている。
【００６５】
つまり、この固定手段Ａは、固定片３１を図６に示す収納姿勢にした状態で、天井面に形成した開口に主スピーカユニット３を埋め込み、その位置に支持しながら操作ネジ３２を回転操作することにより、固定片３１を図７に示す突出姿勢にし、更に、固定片３１を取付け鍔部１３ｂに近接移動させることで、図８に示すように天井を構成する板材Ｂの開口周縁部を固定片３１と取付け鍔部１３ｂとで挟み込み、これにより、主スピーカユニット３を天井に埋め込み状態で固定することができる。
【００６６】
図９に示すように、前記従属スピーカユニット５の外郭は、設置状態で室内側となる外周面２０ａの表側（図中下側）に取付け用鍔部２０ｂを備えた外郭ケース２０Ａの表面に、主スピーカユニット３と同一構成のスピーカネット（図示省略）を脱着自在に取り付けて構成してある。
【００６７】
前記従属スピーカユニット５は、図２に示すように、スピーカケーブル１６を接続するスピーカ接続部１８と、該スピーカ接続部１８を通じて楽曲音信号の入力を受けて楽曲音を出力する従属スピーカ部１９を主要構成として一体的に備える。
【００６８】
図９に示すように、従属スピーカユニット５のスピーカ接続部１８は、従属スピーカユニット５の外郭ケース２０Ａの裏面２０ｆの側に配設され、且つ、スピーカケーブル１６を接続可能な一対の接続口からなるスピーカ入力端子を備えたスピーカ接続台から構成してあり、このスピーカ入力端子に主スピーカユニット３の側に一端が接続されたスピーカケーブル１６を接続することで、主スピーカユニット３の出力制御部１１から従属スピーカユニット５の従属スピーカ部１９にも楽曲音信号を出力するようにしてある。
【００６９】
また、従属スピーカ部１９は、主スピーカ部１０と同一構成のコーン型の主振動板部２１と、主スピーカ部１０と同一構成のコーン型の振動板部（図示省略）とから構成してある。
【００７０】
なお、前記従属スピーカユニット５のスピーカ接続部１８と従属スピーカ部１９との間には、楽曲音信号中のノイズを除去するノイズ除去部を備えたボード（回路基板）２２を付加的に介装してある。
【００７１】
また、従属スピーカユニット５の外郭ケース２０Ａの外周面２０ａの周方向の複数箇所（本例では３箇所）にも、主スピーカユニット３と同一の固定手段Ａを設けてある。
【００７２】
すなわち、この音響システム１は、携帯電話機４で再生された楽曲音信号を無線通信により主スピーカユニット３で受信し、この楽曲音信号に増幅等の各種の処理を施した上で
、天井等に埋め込み固定した主スピーカユニット３と従属スピーカユニット５から音声を出力するから、室内側で快適な音声を聴くことができる。
【００７３】
しかも、この音響システム１を導入するための作業は、両スピーカユニット３、５の取付け作業と、主スピーカユニット３への商用電源線２の接続作業と、両スピーカユニット３、５の接続作業とだけで済むから、容易且つ安価に導入することが可能である。
【００７４】
［第２実施形態］
図１０は、本発明に係る音響システム１の第２実施形態を示し、この音響システム１は、天井部に埋込状に設置する主スピーカユニット１０２、従属スピーカユニット５と、この主スピーカユニット１０２に対するリモートコントローラ１０３（遠隔操作端末の一例）とを備えている。
【００７５】
主スピーカユニット１０２は、前述の第１実施形態と同様、円筒状の外郭ケースを備え、この外郭ケースには、室内に向けて再生音声Ｓを出力する主スピーカ部１０として、主振動板部（主スピーカ）１４及び低音用の副振動板部（補助スピーカ）１５を内蔵するとともに、主制御板１０５及び電源板１０６（電源部の一例）を内蔵してある。
【００７６】
主スピーカユニット１０２の外郭ケースの外面には、電源接続部（電源入力端子）７を設けるとともに、外部出力端子１０９ａ、通報入力端子１０９ｂを備える端子台１０９を設けてあり、電源入力端子７には天井裏配線の電源線２を接続し、この電源線２から電源入力端子７に入力する商用交流電力は電源板１０６において所定電圧の直流電力に変換した上で主スピーカユニット１０２における各電力消費部に供給する。
【００７７】
前記主スピーカユニット１０２の主制御板１０５には、無線通信部９として、無線通信が可能な音源機器（室内側機器の一例）Ａから音源用無線通信Ｔａにより送られる楽曲データなどのストリーム型の音声データｘを受信する音源用通信部１１２を設けるとともに、リモートコントローラ１０３から操作用無線通信Ｔｂにより送られる各種の操作指令ｙを受信する操作用通信部１１３を設けてある。
【００７８】
また、主制御板１０５には、再生処理として、音源用通信部１１２で受信した音源機器Ａからの音声データｘを電気音声信号ｘ′に変換するとともに、その電気音声信号ｘ′を増幅処理して主スピーカ部４に送る再生部１１４、並びに、操作用通信部１１３で受信したリモートコントローラ１０３から操作指令ｙに応じて種々の操作を実行する制御部（制御部の一例、遠隔操作用制御部の一例）１１５を設けてある。
【００７９】
なお、再生部１１４と制御部１１５は、無線通信部９で受信した音声信号を増幅して主スピーカ部１０に出力する出力制御部を構成する。
【００８０】
前記主スピーカユニット１０２の音声出力端子１０９ａと従属スピーカユニット５の音声入力端子１８とは、天井裏において配線する音声信号線（スピーカケーブル）１６により接続してあり、これにより、主スピーカユニット１０２における再生部１１４で再生処理した電気音声信号ｘ′を主スピーカユニット１０２及び従属スピーカユニット５夫々のスピーカ部４、１９に送って、それら２つのスピーカユニット１０２、５ら再生音声Ｓを対象室内に出力するようにしてある。
【００８１】
つまり、この音響システム１では、音源機器Ａから音源用無線通信Ｔａにより送られる音声データｘを天井部１ａの主スピーカユニット１０２と従属スピーカユニット５から再生出力することで、その再生音声Ｓを室内で聞くことができるようにしてある。
【００８２】
そして、この音響システム１では、音源用無線通信ＴａとしてＢｌｕｅｔｏｏｔｈ（登録商標）規格などの電波式の近距離無線通信を採用し、一方、操作用無線通信ＴｂにはＩｒＤＡ規格などの赤外線式の近距離無線通信を採用してある。
【００８３】
即ち、この音響システム１では、室内において主スピーカユニット１０２と従属スピーカユニット５からの再生音声Ｓを聴取する使用者が天井部の主スピーカユニット１０２に対してリモートコントローラ１０３による操作指令ｙの付与を行なうことから、その操作指令ｙの付与に用いる操作用無線通信Ｔｂには、そのような用途に適した無線通信としてＩｒＤＡ規格などの赤外線式の近距離無線通信を採用してある。
【００８４】
一方、音源用無線通信ＴａにはＢｌｕｅｔｏｏｔｈ規格などの電波式の近距離無線通信を採用することで、主スピーカユニット１０２を中心とする半径十数ｍ程度の範囲内であれば音源機器Ａを別室等に置いた状態でも、壁や天井を支障とすることなく音源機器Ａとスピーカユニット１０２との間での音源用無線通信Ｔａを安定的かつ良好に確立できるようにしてある。
【００８５】
リモートコントローラ１０３は、操作用無線通信Ｔｂにより主スピーカユニット１０２に送る操作指令ｙとして、主スピーカユニット１０２に対するユニット操作指令ｙａと音源機器Ａに対する音源操作指令ｙｂとを使用者によるキー操作により選択的に送信する構成にしてあり、これに対し、主スピーカユニット１０２における制御部１１５は、操作用通信部１１３が受信するユニット操作指令ｙａに応じて主スピーカユニット１０２（及び、それに接続された従属スピーカユニット５）を操作する構成にしてある。
【００８６】
また、この制御部１１５は、操作用通信部１１３が受信する音源操作指令ｙｂに応じ、音源機器Ａと音源用通信部１１２との間での音源用無線通信Ｔａを利用して音源機器Ａを操作する構成にしてある。
【００８７】
具体的には、リモートコントローラ１０３は、ユニット操作指令ｙａとしてユニットＯＮ／ＯＦＦ指令、音量調整指令、音源登録指令、音源接続指令などを送信し、また、音源操作指令ｙｂとして再生／一時停止指令、スキップ指令、リバーススキップ指令などを送信するものにしてある。
【００８８】
つまり、制御部１５は、リモートコントローラ１０３からユニットＯＮ／ＯＦＦ指令が付与されると、常時通電の操作用通信部１１３を除く主スピーカユニット１０２の電源をＯＮ／ＯＦＦ操作するとともに、リモートコントローラ１０３から音量調整指令が付与されると、再生部１１４から主スピーカ部４（及び、従属スピーカ部１９）に送る電気音声信号ｘ′の増幅度を調整して再生音声Ｓの音量を調整する。
【００８９】
また、制御部１１５は、リモートコントローラ１０３から再生／一時停止指令が付与されると、音源用通信部１１２から音源機器Ａへの音源用無線通信Ｔａを用いて音源機器Ａの再生／一時停止操作を行い、リモートコントローラ１０３からスキップ指令やリバーススキップ指令が付与されると、音源用通信部１１２から音源機器Ａへの音源用無線通信Ｔａを用いて音源機器Ａのスキップ操作やリバーススキップ操作を行なう。
【００９０】
さらに、リモートコントローラ１０３には、登録及び接続用の操作キーとして、互いに異なる識別コードｋと関連付けた複数のペアリングキー１０３ａを装備してあり、これらペアリングキー１０３ａの操作により音源登録指令（室内側機器登録指令）及び音源接続指令（室内側機器接続指令）を主スピーカユニット１０２の制御部１１５に付与する構成にしてある。
【００９１】
そして、音源登録指令はペアリングキー１０３ａを長押し操作することで付与するようにしてあり、スピーカユニット２との音源用無線通信Ｔａが可能な範囲内に探索可能状態にした音源機器Ａがある状況において、いずれかのペアリングキー１０３ａを長押し操作することにより、その音源機器Ａを長押し操作したペアリングキー１０３ａの識別コードｋと関連付けた状態（略言すれば、長押し操作したペアリングキー１０３ａと関連付けた状態）で主スピーカユニット１０２に登録できるようにしてある。
【００９２】
具体的には、いずれかのペアリングキー１０３ａが長押し操作されてリモートコントローラ１０３から操作用無線通信Ｔｂにより主スピーカユニット１０２の制御部１１５に音源登録指令が付与されると、制御部１１５は、音源用通信部１１２から探索用近距離無線信号ｓｓを発信させて、その探索用近距離無線信号ｓｓを受信した音源機器Ａからその音源機器Ａの機器情報ｉを音源用無線通信Ｔａにより返信させ、これにより、登録処理として、返信された機器情報ｉを長押し操作されたペアリングキー１０３ａの識別コードｋと関連付けた状態で主スピーカユニット１０２における記憶部１１７に格納する構成にしてある。
【００９３】
なお、この登録処理は、複数の音源機器Ａについてペアリングキー１０３ａごとに行なうことができ、制御部１１５は、登録処理した複数の音源機器Ａ夫々の機器情報ｉを並列的に記憶部１１７に格納する。
【００９４】
また、音源接続指令はペアリングキー１０３ａを短く押し操作することで付与するようにしてあり、上記の登録処理の後は、随時、登録処理済のペアリングキー１０３ａを短く押し操作するだけで、音源機器Ａと主スピーカユニット１０２との間における音源用無線通信Ｔａが接続されるようにしてある。
【００９５】
具体的には、登録処理済のペアリングキー１０３ａが短く押し操作されてリモートコントローラ１０３から操作用無線通信Ｔｂにより主スピーカユニット１０２の制御部１１５に音源接続指令が付与されると、制御部１１５は、記憶部１１７に格納した機器情報ｉのうち短く押し操作されたペアリングキー１０３ａの識別コードｋ（即ち、ペアリングキー１０３ａの押し操作に伴う指定識別コード）が関連付けられている機器情報ｉに基づき、その格納機器情報ｉに対応する音源機器Ａ（即ち、指定された音源機器）と主スピーカユニット１０２との間での音源用無線通信Ｔａを接続操作し、この接続により、その指定音源機器Ａから主スピーカユニット１０２への音声データｘの送信、及び、音源用無線通信Ｔａを用いた指定音源機器Ａの操作を可能にする。
【００９６】
なお、制御部１１５は、リモートコントローラ１０３から付与される音源操作指令ｙｂに応じ音源用無線通信Ｔａを用いて音源機器Ａを操作する場合にも、記憶部１１７における対応音源機器Ａの格納機器情報ｉに基づいて音源機器Ａを操作する構成にしてある。
【００９７】
さらに、制御部１１５は上記の各機能に加え、次の（イ）〜（ニ）の付加機能を備えるものにしてある。
【００９８】
（イ）主スピーカユニット１０２において音源機器Ａから送られる音声データｘの再生出力が設定休止時間Δｔａに時間にわたって行われなかったとき、タイマ１１８による設定休止時間Δｔａの計時に基づき、常時通電の操作用通信部１１３を除く主スピーカユニット１０２の電源を自動的にＯＦＦ操作して、主スピーカユニット１０２を自動的に待機状態にする。
【００９９】
（ロ）音源機器Ａがスマートフォンなど電話機能を有するものである場合、音源用無線通信Ｔａにより音源機器Ａから主スピーカユニット１０２の音源用通信部１１２に送られる音声データｘとして、その音源機器Ａの電話機としての使用で発生する通話音声信号が送られたときは、通話検出部１１５ａによる通話音声信号の検出に基づいて、主スピーカ部４（及び、従属スピーカ部１９）からの再生音声Ｓの出力を自動的に停止する、又は、その通話音声に代えて予め設定された装飾音声を主スピーカ部４（及び、従属スピーカ部１９）から出力させる。
【０１００】
（ハ）端子台１０９における通報入力端子１０９ｂに火災報知器などの通報器１１９が作動時に発信する通報信号ｚが端子台１０９における通報入力端子１０９ｂに入力されるように前記通報入力端子１０９ｂと通報器１１９とを信号線１１６で接続することで、それら通報信号ｚの入力があったとき、音源機器Ａから送られる音声データｘの再生出力を自動的に停止する。
【０１０１】
（ニ）リモートコントローラ１０３から付与される音量調整指令に応じスピーカユニット１０２の再生部１１４で電気音声信号ｘ′の増幅度を調整してスピーカ部４から出力する再生音声Ｓの音量を調整することに対し、その音量調整の調整範囲上限をリモートコントローラ３に装備した最大音量設定部１２０に対する設定変更操作に応じて変更する。
【０１０２】
そしてさらに、この制御部１１５は、前述した（イ）〜（ニ）の付加機能に加えて、ホテルの客室などに設置する場合に適した次の（ホ），（へ）の付加機能を備えるものにしてある。
【０１０３】
（ホ）リモートコントローラ１１３から操作用無線通信Ｔｂによりユニット操作指令ｙａとして付与されるモード切換指令に応じて、再生音声Ｓの出力モードをステレオ出力モードとダイオティック出力モードとに切り換える。
【０１０４】
即ち、ステレオ出力モードでは、主スピーカユニット１０２と従属スピーカユニット５のうちの一方を右スピーカユニットとしかつ他方を左スピーカユニットとして、音源機器Ａから音源用無線通信Ｔａにより送られる音声データｘの再生音声Ｓを主スピーカユニット１０２及び従属スピーカユニット５からステレオ状態で出力する。
【０１０５】
また、ダイオティック出力モードでは、音源機器Ａから音源用無線通信Ｔａにより送られる音声データｘの再生音声Ｓを主スピーカユニット１０２及び従属スピーカユニット５の夫々からモノ状態で出力する。
【０１０６】
（へ）タイマ１１８による計時に基づき、毎日、設定時点ｔｂ（例えば午前０時）に至ると（又は、タイマ１１８による計時において前記登録処理から設定時間Δｔｃが経過すると）、記憶部１１７に格納してある音源機器Ａの機器情報ｉを自動消去する。
【０１０７】
前記制御部１１５に備えさせる付加機能はシステムの設置場所に応じて変更するなど、必要に応じて前記（イ）〜（へ）の付加機能等のうちから適宜に取捨選択してもよい。
【０１０８】
なお、上記以外の構成は、第１実施形態で説明した構成と同様であるから、それの説明は省略する。
【０１０９】
〔別実施形態〕
前述の各実施形態では、音源機器である室内側機器の一例として、携帯電話機４を例に示したが、無線通信機能を備えた携帯型又は設置型の音声プレーヤー、無線通信機能を備えたテレビなどであってもよい。
【０１１０】
前述の第１実施形態では、１室に２個のスピーカユニット３、５を設けて室内に２チャンネルの音声を出力させる場合を例に示したが、例えば、１室に４個のスピーカユニット３、５、５、５を設けて室内に４チャンネルの音声を出力させるようにしてもよい。
【０１１１】
また、１室に２個のスピーカユニット３、５を設け、他室（又は通路）に２個のスピーカユニット５、５を設けてもよく、その場合、前記出力形態切換部１１ａによる出力形態の切り換えにより室毎に最適な出力形態を設定するのが望ましい。
【符号の説明】
【０１１２】
１              音響システム
２              商用電源線
３、１０２      主スピーカユニット
４、Ａ          携帯電話機（室内側機器）
５              従属スピーカユニット
６、１０３      遠隔操作端末
７              電源接続部
８、１０６      電源部
９              無線通信部
１０            主スピーカ部
１１、１１５    出力制御部、制御部、遠隔操作用制御部
１１            出力形態切換部
１２ａ          出力端子
１２ｂ          出力端子
１２ｄ          出力端子
１２ｅ          出力端子
１６            スピーカケーブル（ケーブル）
１７            状態表示部
１９            従属スピーカ部
１０９ａ        出力端子
１０９ｂ        通報入力端子
１１７          記憶部
１１８          タイマ
Ｔａ            音源用無線通信
ｙ              操作指令
ｙａ            ユニット操作指令
ｙｂ            音源操作指令
Ｔｂ            操作用無線通信
ｉ              機器情報
ｔｂ            設定時点
Δｔｃ          設定時間
ｚ              通報信号
【図１】
2013229842.tif 000003
【図２】
2013229842.tif 000004
【図３】
2013229842.tif 000005
【図４】
2013229842.tif 000006
【図５】
2013229842.tif 000007
【図６】
2013229842.tif 000008
【図７】
2013229842.tif 000009
【図８】
2013229842.tif 000010
【図９】
2013229842.tif 000011
【図１０】
2013229842.tif 000012